(57)【要約】      （修正有）【課題】サンダル本体とアーチ本体とを一体的に成形し、使用者の足裏にフィットして履き心地が良い足裏表面を有し、さらにサンダル本体とアーチ本体との境に亀裂等が生じない一定の強度を担保した一体型サンダルを提供する。【解決手段】一体型樹脂サンダル１は、足裏部１２と足底部１１とからなるサンダル本体２とアーチ状に足甲部分を覆うアーチ本体３とを一体的に成形したものであって、足裏部１２は、隆起してアーチ本体内側面に至る内側土踏まず部と前記内側土踏まず部よりも高さを低くした踵部５０と、前記踵部よりも高さを低くした指元部３０を有する。アーチ本体３はつま先部２０の先端から土踏まず部の前側部分までを覆いつつ、側方に通気孔を有することを特徴とする。【選択図】図６
0003235397.tif 000002
【実用新案登録請求の範囲】
【請求項１】
足裏部と底部とからなるサンダル本体と、前記サンダル本体からアーチ状に足甲部分を覆うアーチ本体と、を一体的に成形した一体型樹脂サンダルであって、
前記サンダル本体の上面に形成される足裏部は、隆起してアーチ本体内側面に至る内側土踏まず部と、
前記内側土踏まず部よりも高さを低くした踵部と、前記踵部よりも高さを低くした指元部を有することを特徴とした一体型樹脂サンダル。
【請求項２】
指元部の先端に位置するつま先部は、前記指元部よりも高く形成され、
アーチ本体は、つま先部の先端から土踏まず部の前側部分までを覆いつつ、側方に通気孔を有することを特徴とする請求項１に記載の一体型樹脂サンダル。
【請求項３】
土踏まず部は、幅方向に掛けて高さを高くしつつ傾斜してアーチ本体内側面の一方に至る内側土踏まず部と、高さを低くしつつ傾斜してアーチ本体内側面の他方に至る外側土踏まず部とを有し、
前記土踏まず部であって、足裏部の後端中央位置から前端中央位置に至る中央線と、前記後端中央位置から前端最長位置に至る最長線とに囲まれた領域に上方に凸となる緩やかな曲面が形成されることを特徴とする請求項１また２に記載の一体型樹脂サンダル。
【請求項４】
足裏部の外周縁に沿って平坦となる外周平坦部を形成し、つま先部先端の外周平坦部の高さ位置と最長線との第１交点と、土踏まず部の高さ位置と最長線との第２交点と、踵部後端の外周辺端部の高さ位置と最長線との第３交点とは、同一高さに位置することを特徴とする請求項３に記載の一体型樹脂サンダル。
【考案の詳細な説明】
【技術分野】
【０００１】
本考案は、サンダル本体とアーチ本体とを一体的に成形する樹脂サンダルに関するものである。
【背景技術】
【０００２】
従来より足裏に一定の形状を施したサンダルは存在した。しかし、サンダル本体とアーチ本体とを一体化して成形する一体型樹脂サンダルは、足裏部表面とアーチ本体内面との間に金型を挿入して成形するものであるため、足裏部表面に凹凸を生じさせることができなかった。
【０００３】
考案者は、発泡性樹脂を用い、成型時の収縮率に研究を重ね、サンダル本体とアーチ本体との間に金型を挿入し、成型直後の収縮状態を利用して金型を摘出して成形することで足裏部に凹凸が形成される一体型樹脂サンダルの開発に成功した。
【０００４】
また、使用者の足裏形状に合わせた凹凸を形成するだけでなく、使用者の履き心地を向上させ、一体型で成形するにあたってサンダル本体とアーチ本体との境に亀裂などが生じないように一定の強度が担保される一体型樹脂サンダルが求められていた。
【先行技術文献】
【特許文献】
【０００５】
【特許文献１】実用新案登録第３１５３５００号公報
【考案の概要】
【考案が解決しようとする課題】
【０００６】
そこで、本考案は、サンダル本体とアーチ本体とを一体的に成形し、使用者の足裏にフィットして履き心地が良い足裏表面を有し、さらにサンダル本体とアーチ本体との境に亀裂等が生じない一定の強度を担保した一体型サンダルを提供する。
【課題を解決するための手段】
【０００７】
本考案の一体型樹脂サンダルは、足裏部と底部とからなるサンダル本体と、前記サンダル本体からアーチ状に足甲部分を覆うアーチ本体と、を一体的に成形した一体型樹脂サンダルであって、前記サンダル本体の上面に形成される足裏部は、隆起してアーチ本体内側面に至る内側土踏まず部と、前記内側土踏まず部よりも高さを低くした踵部と、前記踵部よりも高さを低くした指元部を有することを特徴とする。
【０００８】
また、指元部の先端に位置するつま先部は、前記指元部よりも高く形成され、アーチ本体は、つま先部の先端から土踏まず部の前側部分までを覆いつつ、側方に通気孔を有することが好ましい。
【０００９】
また、土踏まず部は、幅方向に掛けて高さを高くしつつ傾斜してアーチ本体内側面の一方に至る内側土踏まず部と、高さを低くしつつ傾斜してアーチ本体内側面の他方に至る外側土踏まず部とを有し、前記土踏まず部であって、前記足裏部の後端中央位置から前端中央位置に至る中央線と、前記後端中央位置から前端最長位置に至る最長線とに囲まれた領域に上方に凸となる緩やかな曲面が形成されることが好ましい。
【００１０】
また、足裏部の外周縁に沿って平坦となる外周平坦部を形成し、つま先部先端の外周平坦部の高さ位置と最長線との第１交点と、土踏まず部の高さ位置と最長線との第２交点と、踵部後端の外周辺端部の高さ位置と最長線との第３交点とは、同一高さに位置することが好ましい。
【考案の効果】
【００１１】
請求項１に記載の考案により、この内側土踏まず部と外側土踏まず部の傾斜面により使用者が足裏にあわせた形状となり、フィット感を高めた履き心地のよいサンダルを提供することができる。
【００１２】
請求項２に記載の考案により、つま先を自由にしてフィット感を高めるとともに、全体を覆うアーチ本体としつつ通気孔を形成することでつま先を保護しつつ通気してより快適なサンダルを提供することができる。
【００１３】
請求項３に記載の考案により、上記領域においてほぼ平坦となるような若干の上側に凸となる緩やかな湾曲面が形成されることにより、使用者の足裏の中心部分にしっかりフィットして履き心地を良くし、安定感のある足裏部を有するサンダルとすることができる。
【００１４】
請求項４に記載の考案により、使用者のフィット感を高めるとともに、使用による歪みが集中することなく、サンダル本体とアーチ本体との境に亀裂等が生じない一定の強度を担保した一体型サンダルを提供することが可能になる。
【図面の簡単な説明】
【００１５】
【図１】本考案の一体型樹脂サンダルの一例を示す斜視図である。
【図２】本考案の一体型樹脂サンダルの一例を示す後方からの斜視図である。
【図３】本考案の一体型樹脂サンダルの一例を示す平面図である。
【図４】本考案の一体型樹脂サンダルの一例を示す正面図である。
【図５】図３の状態からサンダル本体を切り欠いて足裏部を露出した状態を示す平面断面図である。
【図６】図４から最長線ＡＣで切り欠いた断面図である。
【図７】土踏まず部の高さを示す図３のI−I線端面図である。
【図８】踵部の高さを示す図３のJ−J線端面図である。
【図９】指元部の高さを示す図３のK−K線端面図である。
【考案を実施するための形態】
【００１６】
本考案の実施形態について、図面に基づいて詳細に説明する。本説明において、つま先部を前、踵部を後、脚幅方向を幅方向として説明する。なお、本説明や図面は右足用のサンダルで説明しているが、左足用は反転させた状態となる。
【００１７】
図１乃至図５に示すように、本考案の実施形態である一体型樹脂サンダル１は、サンダル本体２と、アーチ本体３とからなる。サンダル本体２は、裏面に足底部１１を有し、表面に凹凸を有する足裏部１２が形成される。アーチ本体３は、サンダル本体２の表面となる足裏部１２の周縁から連続して隆起してアーチ状となるものであるが、後述する土踏まず部４０の前側からつま先部２０の先端までを覆っている。土踏まず部４０の部分からアーチ状とはならないが、隆起する側壁４，踵部５０の後側となる後壁５がアーチ本体３から連続して形成されている。
【００１８】
アーチ本体３は、後述するように最も低い指元部３０からつま先部２０が高くなる部分を全て覆うようなアーチ形状としており、アーチ本体３の両側方には貫通孔となる通気孔６，６が開口されている。このようにすることで、つま先を自由にしてフィット感を高めるとともに、全体を覆うアーチ本体３としつつ通気孔６，６を形成することでつま先を保護しつつ通気してより快適なサンダルを提供することができる。
【００１９】
一体型樹脂サンダル１は、発泡性樹脂によりサンダル本体２とアーチ本体３とを一体的に成形して製造する。発泡性樹脂は成型直後に使用状態からひと回り大きくなり、徐々に収縮する。この収縮作用を利用し、サンダル本体２の表面（足裏部）に配される金型を抜いて凹凸を備えた足裏部１２を有する一体型樹脂サンダルを製造することができる。
【００２０】
足裏部１２の凹凸状態について説明する。足裏部１２は、図５に示すように、使用者の足指が位置する部分であってＤ線とＥ線に囲まれた領域となるつま先部２０、使用者の土踏まずが位置する部分であってＦ線とＧとに囲まれた領域となる土踏まず部４０、つま先部２０と土踏まず部４０との間であってＥ線とＦ線とに囲まれた領域となる指元部３０、使用者の踵が位置する部分であってＧ線とＨ線とに囲まれた領域となる踵部５０となる。
【００２１】
足裏部１２は、平面視において足型の形状となるものであって、踵部５０の後端は湾曲縁を有し、踵部５０と土踏まず部４０との部分では前側に向かってやや幅広となる略長方形状を有し、土踏まず部４０の前側部分から指元部３０に掛けてさらに幅広となり、つま先部２０では外側が緩やかな湾曲縁で、内側が急激な湾曲縁を有する外縁が形成される。足裏部１２は小さな突出片１３が複数配されており、使用者の足裏の滑り止めとしている。また、つま先部２０の後側には指の付け根部分に合う突出部１４が形成される。
【００２２】
まず、土踏まず部４０について説明する。なお、高低については、図４に示す足裏部１２の表面部分が足底部１１の直線ラインＬからの長さを示すものである。図５及び図７に示すように、土踏まず部４０は、使用者の土踏まずに位置する足裏部１２であり、内側の内側土踏まず部４１と外側の外側土踏まず部４３を有し、その間の中央土踏まず部４２となる。内側土踏まず部４１は、幅方向にかけて中央土踏まず部４２より上方に隆起する傾斜面（隆起面）を有して、アーチ本体３の内側面に至っている。
【００２３】
外側土踏まず部４３は、幅方向に掛けて中央土踏まず部４２より下方に傾斜する下方傾斜面を有してアーチ本体３の外側面に至っている。この内側土踏まず部４１と外側土踏まず部４３の傾斜面により使用者が足裏にあわせた形状となり、フィット感を高めた履き心地のよいサンダルを提供することができる。
【００２４】
中央土踏まず部４２は隆起する内側土踏まず部４１と下降する外側土踏まず部４３との間で略平坦となる部分であるが、若干の上側に凸となる湾曲面が形成される。特に、図５に示す踵部５０の後端の幅方向中央位置となる後端中央位置Ａからつま先部２０の先端の幅方向中央位置となる前端中央位置Ｂまでの中央線ＡＢと、踵部５０の後端の幅方向中央位置Ａからつま先部２０の先端縁のうち最も突出する位置となる前端最長位置Ｃ（中央位置Ｂよりやや内側位置であって親指と人差し指の間位置）までの最長線ＡＣとに囲まれる領域において、中央土踏まず部４２で上側に凸となる湾曲面が形成されている。
【００２５】
上記領域においてほぼ平坦となりつつ若干の上側に凸となる緩やかな湾曲面が形成されることにより、使用者の足裏の中心部分にしっかりフィットして履き心地を良くし、安定感のある足裏部を有するサンダルとすることができる。
【００２６】
図５、図６及び図８に示すように、踵部５０は、土踏まず部４０、特に中央土踏まず部４２よりも高さを低くしている。サンダルは外形上は踵部分が高くなっているが、踵部分から足裏部１２の踵部５０が土踏まず部４０よりも低くなることで、使用者の踵を安定的に収納することが可能となる。さらに図９に示すように指元部３０が最も低くなり、指元部３０からつま先部２０にかけてさらに高くなっている。このような高低を付けることにより、使用者の足裏にさらにフィット感を高めることができる。
【００２７】
次に、図５、図６に示すように、足裏部１２を有するサンダル本体２とアーチ本体３との接続位置について説明する。サンダル本体２とアーチ部３とは一体的に成形されているため、連続した樹脂により形成されているが、サンダル本体２の表面である足裏部１２の外周縁に細かな平坦面となる外周平坦部１５が形成され、外周平坦部１５からアーチ本体３、側壁４、後壁５が連続している。使用によりサンダル本体２とアーチ本体３との間に歪みがかかることとなるが、外周平坦部１５が形成されることで一部分に歪みが集中することを無くしている。
【００２８】
さらに、上述の最長線ＡＣの先端位置と後端位置となる外周平坦部１５の高さを略同一とし、中央土踏まず部４２の高さも略同一として、同一直線状に位置させている。このようにすることで使用する足裏の中心となる位置でサンダル本体２とアーチ本体３との接続高さを同じくすることで、使用者のフィット感を高めるとともに、使用による歪みが集中することなく、サンダル本体とアーチ本体との境に亀裂等が生じない一定の強度を担保した一体型サンダルを提供することが可能になる。
【００２９】
つまり、最長線ＡＣとつま先部２０の先端の高さ位置を第１交点Ｘとし、最長線ＡＣと中央土踏まず部４２の高さ位置を第２交点Ｙとし、最長線ＡＣと踵部５０の後端となる外周平坦部１５の高さ位置を第３交点Ｚとする。この第１交点Ｘ、第２交点Ｙ，第３交点Ｚが略同一高さとなるものであるが、第２交点Ｙは若干低くなっていてもよい。
【００３０】
また、本実施形態では、アーチ本体３にベルト部を取り付け、使用者の足首に引っ掛けるようにしている。さらにアーチ本体３の通気孔は適宜位置に開口するものであってもよく、つま先部の先端部分を開放するものであってもよい。
【符号の説明】
【００３１】
１…一体型樹脂サンダル、２…サンダル本体、３…アーチ本体、４…側壁、５…後壁、６…通気孔、１１…足底部、１２…足裏部、１３…突出片、１４…突出部、１５…外周平坦部、２０…つま先部、３０…指元部、４０…土踏まず部、４１…内側土踏まず部、４２…中央土踏まず部、４３…外側土踏まず部、５０…踵部、Ａ…後端中央位置、Ｂ…前端中央位置、Ｃ…前端最長位置、Ｘ…第１交点、Ｙ…第２交点、Ｚ…第３交点。
【図１】
0003235397.tif 000003
【図２】
0003235397.tif 000004
【図３】
0003235397.tif 000005
【図４】
0003235397.tif 000006
【図５】
0003235397.tif 000007
【図６】
0003235397.tif 000008
【図７】
0003235397.tif 000009
【図８】
0003235397.tif 000010
【図９】
0003235397.tif 000011